(57)【要約】【課題】好適な撮影を実現し得る撮影装置を提供する。【解決手段】  撮影された画像を取得する撮影部（１１）と、前記画像を記憶する記憶部（３６）と、前記撮影に使用される外部装置（４６，４１）を検出する検出部（２２，２３，３０）と、前記検出部で検出された前記外部装置に対応させて前記記憶部が前記画像を記憶するように前記記憶部を制御する制御部（３０）とを含む撮像装置。【選択図】図７
2010263312.tif 000002
【特許請求の範囲】
【請求項１】
撮影された画像を取得する撮影部と、
前記画像を記憶する記憶部と、
前記撮影に使用される外部装置を検出する検出部と、
前記検出部で検出された前記外部装置に対応させて前記記憶部が前記画像を記憶するように前記記憶部を制御する制御部とを含むことを特徴とする撮影装置。
【請求項２】
請求項１に記載された撮影装置であって、
前記制御部は、前記検出部で検出された前記外部装置毎に分類して、前記記憶部が前記画像を記憶するように前記記憶部を制御することを特徴とする撮影装置。
【請求項３】
請求項１又は請求項２に記載された撮影装置であって、
前記記憶部は、前記検出部で検出された前記外部装置に対応する名称のフォルダを生成し、前記画像を前記名称のフォルダに記憶することを特徴とする撮影装置。
【請求項４】
請求項１又は請求項２に記載された撮影装置であって、
前記記憶部は、前記画像の名称を前記検出部で検出された前記外部装置に対応する名称として記憶することを特徴とする撮影装置。
【請求項５】
請求項１又は請求項２に記載された撮影装置であって、
前記記憶部は、前記検出部で検出された前記外部装置に対応するデータを前記画像に関連付けて記憶することを特徴とする撮影装置。
【請求項６】
請求項１から請求項５までの何れか１項に記載された撮影装置であって、
レンズ鏡筒を接続可能な接続部を含み、
前記検出部は、前記接続部に接続されたレンズ鏡筒、及び、前記レンズ鏡筒に接続されたアクセサリのうち少なくとも一方を検出することを特徴とする撮影装置。
【請求項７】
請求項６に記載された撮影装置であって、
前記検出部は、無線を用いて前記レンズ鏡筒、及び、前記アクセサリのうち少なくとも一方を検出することを特徴とする撮影装置。
【請求項８】
請求項１から請求項７までの何れか１項に記載された撮影装置であって、
撮影者が前記撮影をするために操作可能な操作部を含み、
前記制御部は、前記操作部が操作されたタイミングを用いて前記記憶部を制御することを特徴とする撮影装置。
【請求項９】
請求項１から請求項８までの何れか１項に記載された撮影装置であって、
前記記憶部に記憶された前記画像を表示可能な表示部を含み、
前記制御部は、前記検出部が前記外部装置を検出したとき、前記記憶部に記憶された前記画像のうち、前記検出部で検出された前記外部装置に対応して記憶された前記画像を前記表示部が表示するように前記表示部を制御することを特徴とする撮影装置。
【発明の詳細な説明】
【技術分野】
【０００１】
本発明は、撮影装置に関する。
【背景技術】
【０００２】
撮像素子等によって画像データを撮影するデジタルカメラなどでは、メモリの大容量化に伴い、多くの画像データをメモリカード等の記憶部に記憶させることが可能となっている。また、近年のデジタルカメラは、レンズ交換や、光学フィルタの取り付け等によって、デジタルカメラに取り付ける外部装置を変化させて、多様な描写を行うことが可能となっている。
【０００３】
しかし、このようなデジタルカメラでは、例えば背面表示部等に所望の画像を表示させたい場合等において、メモリカードに記憶されている多量の画像データの中から、所望の画像データを見つけなくてはならない。このため、メモリカードに記憶されている画像データの中から、所望のデータを見つけるのに時間がかかり、煩わしいという問題を有している。
【０００４】
このような問題に対応した従来技術としては、例えば画像データを撮影する時の撮影条件を抽出し、撮影条件を画像データに付随させて記憶させるものが知られている（特許文献１等参照）。しかし、従来技術に係るカメラは、デジタルカメラに取り付ける外部装置を変化させて多様な描写を行うユーザにとっては、依然として、画像データを探す時に煩わしさを感じさせるものである。
【先行技術文献】
【特許文献】
【０００５】
【特許文献１】特開２００７−２８８４０９号公報
【発明の概要】
【発明が解決しようとする課題】
【０００６】
本発明の目的は、このような実情に鑑みてなされ、好適な撮影を実現し得る撮影装置を提供することである。
【課題を解決するための手段】
【０００７】
上記課題を解決するために、本発明に係る撮影装置は、
撮影された画像を取得する撮影部（１１）と、
前記画像を記憶する記憶部（３６）と、
前記撮影に使用される外部装置（４６，４１）を検出する検出部（２２，２３，３０）と、
前記検出部で検出された前記外部装置に対応させて前記記憶部が前記画像を記憶するように前記記憶部を制御する制御部（３０）とを含むことを特徴とする。
【０００８】
また、例えば、前記制御部は、前記検出部で検出された前記外部装置毎に分類して、前記記憶部が前記画像を記憶するように前記記憶部を制御してもよい。
【０００９】
また、例えば、前記記憶部は、前記検出部で検出された前記外部装置に対応する名称のフォルダを生成し、前記画像を前記名称のフォルダに記憶してもよい。
【００１０】
また、例えば、前記記憶部は、前記画像の名称を前記検出部で検出された前記外部装置に対応する名称として記憶してもよい。
【００１１】
また、例えば、前記記憶部は、前記検出部で検出された前記外部装置に対応するデータを前記画像に関連付けて記憶してもよい。
【００１２】
また、例えば、本発明に係る撮影装置は、レンズ鏡筒を接続可能な接続部（４５）を含んでもよく、
前記検出部は、前記接続部に接続されたレンズ鏡筒（４１）、及び、前記レンズ鏡筒に接続されたアクセサリ（４６）のうち少なくとも一方を検出してもよい。
【００１３】
また、例えば、前記検出部は、無線を用いて前記レンズ鏡筒、及び、前記アクセサリのうち少なくとも一方を検出してもよい。
【００１４】
また、例えば、本発明に係る撮影装置は、撮影者が前記撮影をするために操作可能な操作部（５４）を含んでもよく、
前記制御部は、前記操作部が操作されたタイミングを用いて前記記憶部を制御してもよい。
【００１５】
また、例えば、本発明に係る撮影装置は、前記記憶部に記憶された前記画像を表示可能な表示部（１７）を含んでもよく、
前記制御部は、前記検出部が前記外部装置を検出したとき、前記記憶部に記憶された前記画像のうち、前記検出部で検出された前記外部装置に対応して記憶された前記画像を前記表示部が表示するように前記表示部を制御してもよい。
【００１６】
なお上述の説明では、本発明をわかりやすく説明するために実施形態を示す図面の符号に対応づけて説明したが、本発明は、これに限定されるものでない。後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【図面の簡単な説明】
【００１７】
【図１】図１は、本発明の一実施形態に係るカメラ本体部と、当該カメラ本体部に用いられる外部装置の構成を表す模式図である。
【図２】図２は、図１に示すカメラ本体部およびカメラ本体に用いられる外部装置の主要部分を表すブロック図である。
【図３】図３は、図２に示すカメラ本体部で行われる画像データの記録手順の第１の例を表すフローチャートである。
【図４】図４は、図２に示すカメラ本体部で行われる画像データの記録手順の第２の例を表すフローチャートである。
【図５】図５は、図２に示すカメラ本体部で行われる画像データの記録手順の第３の例を表すフローチャートである。
【図６】図６は、図２に示すカメラ本体部で行われる画像データの記録手順の第４の例を表すフローチャートである。
【図７】図７は、図２に示すカメラ本体部に取り付けられた記録媒体に記憶される画像データの記録構造を示す概念図である。
【図８】図８は、図２に示すカメラ本体部において行われるアクセサリの識別動作を示す概念図である。
【発明を実施するための形態】
【００１８】
第１実施形態
図１は、本発明の一実施形態に係るカメラ本体部６０と、当該カメラ本体部６０に用いられる外部装置の構成を表す模式図である。図１に示すカメラ本体部６０の内部には、撮像素子を含む撮影部が備えられている。また、カメラ本体部６０には、撮像部によって撮影された画像（画像データ）を記憶する記憶部３６が備えられている。図１に示す記憶部３６は、カメラ本体部６０に着脱可能に取り付けられる不揮発性メモリであり、フラッシュメモリカード等によって構成されるが、記憶部３６としてはこれに限定されない。
【００１９】
カメラ本体部６０には、撮影に用いられる複数の外部装置を取り付けることができる。図１に示すように、外部装置としては、カメラを安定して設置するための三脚５０や、撮影時等における光量を調整するための外部ストロボ２７が挙げられる。三脚５０は、カメラ本体部６０に設けられる不図示の三脚座を介して取り付けられる。また、外部ストロボ２７は、カメラ本体部６０に設けられる外部ストロボ取付部を介して取り付けられる。
【００２０】
また、カメラ本体部６０に取り付けられる他の外部装置としては、カメラ本体部６０の内部に被写体光を導く交換式撮影レンズ４１や、交換式撮影レンズ４１に取り付けられて被写体光を調整するレンズアクセサリ４６が挙げられる。交換式撮影レンズ４１は、被写体側の端部に設けられるレンズ側第１通信接点４３と、撮像素子側の端部に設けられるレンズ側第２通信接点４４を有している。レンズ側第２通信接点４４は、交換式撮影レンズ４１をカメラ本体部６０に取り付けた際に、カメラ本体部６０に設けられるボディ側通信接点４５と接触する。これによって、交換式撮影レンズ４１は、カメラ本体部６０と通信を行い、例えば、交換式撮影レンズ４１の型番等のレンズ情報を、カメラ本体部６０に伝達することができる。
【００２１】
レンズアクセサリ４６は、アクセサリ側通信接点４７を有している。アクセサリ側通信接点４７は、レンズアクセサリ４６を交換式撮影レンズ４１に取り付けた際に、レンズ側第１通信接点４３と接触する。これによって、カメラ本体部６０は、レンズ側第１通信接点４３およびレンズ側第２通信接点４４を介して伝達される電機信号によって、レンズアクセサリ４６の型番等を検出することができる。なお、交換式撮影レンズ４１に取り付けられるレンズアクセサリ４６としては、特に限定されないが、例えばＮＤフィルタ、ＮＣフィルタ、Ｃ−ＰＬフィルタ、クローズアップフィルター、ソフトフォーカスフィルター、ホワイトバランスセッターなどが挙げられる。
【００２２】
図２は、図１に示すカメラ本体部６０およびカメラ本体部６０に用いられる外部装置の主要部分を表すブロック図である。カメラ本体部６０には、交換式撮影レンズ４１、レンズアクセサリ４６および外部ストロボ２７等の外部装置が取り付けられる。
【００２３】
交換式撮影レンズ４１には、レンズ内メモリ４２が内蔵されている。レンズ内メモリ４２には、レンズ情報が記憶されている。レンズ内メモリ４２に記憶されるレンズ情報としては、例えば、型番、被写体までの撮影距離、焦点距離、絞り値等が挙げられる。レンズ交換式撮影レンズ４１とカメラ本体部６０とは、機械的に抜き差し可能に結合される。
【００２４】
また、交換式撮影レンズ４１とカメラ本体部６０とが機械的に結合されたとき、レンズ側第２通信接点４４とボディ側通信接点４５を介して、交換式撮影レンズ４１とカメラ本体部６０とは、電気的にも結合される。交換式撮影レンズ４１とカメラ本体部６０とは、レンズ側第２通信接点４４とボディ側通信接点４５を介して、双方向に通信をおこなうことができる。また、カメラ本体部６０から交換式撮影レンズ４１への電力供給や、レンズ制御信号の伝達などが、レンズ側第２通信接点４４およびボディ側通信接点４５を介して行われる。
【００２５】
カメラ本体部６０の内部には、ＣＰＵ３０が備えられる。ＣＰＵ３０には、ＡＦユニット４９、シャッタユニット４８、シャッタ幕１０、レンズ着脱検知回路２０、レンズ情報検知回路２２、アクセサリ検知回路２１、不揮発性メモリ２４、電源２５、シャッタスイッチ１８、フォルダ生成回路１９、外部ストロボ２７等が接続されている。ＣＰＵ３０は、これらの各部分を、制御することができる。
【００２６】
ＡＦユニット４９は、交換式撮影レンズ４１のフォーカシングを制御する測距制御手段であり、測距センサを含んで構成される。ＡＦユニット４９およびＣＰＵ３０は、測距点からの測距を行い、レンズ側第２通信接点４４とボディ側通信接点４５を介して、交換式撮影レンズ４１内に備えられる光学レンズ群を駆動することができる。シャッタユニット４８は、シャッタ幕１０を制御する露光制御手段であり、測光センサを含んで構成される。ＣＰＵ３０およびシャッタユニット４８は、ＣＰＵ３０によって演算されたシャッタ秒時に合わせて、シャッタ幕１０を開閉する制御を行う。
【００２７】
レンズ着脱検知回路２０は、カメラの電源２５を投入した時点で、レンズ通信情報が得られているか否かの判断を行うことで、レンズの着脱を判別する。レンズ情報検知回路２２は、レンズ情報を検知する。レンズ情報検知回路２２は、例えば、交換式撮影レンズ４１の型番等のレンズ情報を検知する。アクセサリ検知回路は、レンズアクセサリ４６が取り付けられているか否かを検知する。また、アクセサリ情報検知回路２３は、アクセサリ情報を検知する。レンズ情報検知回路２２で検知されたレンズ情報と、アクセサリ情報検知回路２３で検知されたアクセサリ情報は、フォルダ生成回路１９がフォルダ生成処理を行う際に用いられる。
【００２８】
不揮発性メモリ２４は、電気的に消去・記録可能な不揮発性メモリであり、例えば、ＥＥＰＲＯＭを用いて構成される。電源２５は、ＣＰＵ３０を介して、カメラ本体部６０およびカメラ本体部６０に取り付けられる交換式撮影レンズ４１等に、電力を供給する。
【００２９】
シャッタスイッチ１８は、図１に示すレリーズボタン５４に連動して、ＣＰＵ３０に２種類の信号を出力する。レリーズボタン５４は２段階のストロークを有しており、シャッタスイッチ１８は、レリーズボタン５４のストロークの第１段が押されたタイミングで、半押し信号ＳＷ１をＣＰＵ３０に出力し、レリーズボタン５４のストロークの第２段が押されたタイミングで、全押し信号ＳＷ２をＣＰＵ３０に出力する。
【００３０】
フォルダ生成回路１９は、ＣＰＵ３０からの制御を受けて、記憶部３６に、画像データを分類して保存するためのフォルダを生成する。すなわち、ＣＰＵ３０は、レンズ情報検知回路２２や、アクセサリ情報検知回路２３を制御して、交換式撮影レンズ４１や、レンズアクセサリ４６等を検出する。さらにＣＰＵ３０は、レンズアクセサリ４６等の検出結果に基づき、フォルダ生成回路１９を制御して、記憶部３６にフォルダを作成する。また、ＣＰＵ３０は、レンズアクセサリ４６等の検出結果に対応させて、フォルダ生成回路１９によって生成されたフォルダに、撮像素子１１等によって取得された画像データを保存することができる。
【００３１】
ＣＰＵ３０およびフォルダ生成回路１９が、記憶部３６にフォルダを生成するタイミングとしては、特に限定されないが、例えば、レリーズボタン５４（図１）や、電源２５を投入する電源ボタン等の操作部が、撮影者によって操作されたタイミングとすることができる。
【００３２】
外部ストロボ２７は、外部ストロボ取付部を介して、カメラ本体部６０に取り付けられる。外部ストロボ２７は、ＡＦ補助光の投光機能や、ストロボ調光機能を有する。また、外部ストロボ２７は、ストロボ側通信接点２８を有している。ストロボ側通信接点２８は、外部ストロボ２７がカメラ本体部６０に取り付けられた状態において、カメラ本体部６０に備えられるストロボボディ側通信接点２９に、電気的に接続される。
【００３３】
ＣＰＵ３０は、ストロボ側通信接点２８およびストロボボディ側通信接点２９を介して通信を行い、外部ストロボ２７を制御することができる。また、ＣＰＵ３０は、ストロボ側通信接点２８およびストロボボディ側通信接点２９を介して通信を行い、外部ストロボ２７の型番等のストロボ情報を得ることもできる。
【００３４】
カメラ本体部６０に備えられる撮像部は、撮像素子１１、Ａ／Ｄ変換器１２、画像処理回路１３、ＲＡＭ制御回路１４、タイミング発生回路１５等からなる。撮像素子１１において結像された光学像は、Ａ／Ｄ変換器１２によってデジタル信号へと変換されたのち、画像処理回路１３で処理される。
【００３５】
画像処理回路１３は、Ａ／Ｄ変換器１２からの画像データや、記憶部３６からのデータに対して、所定の画像補完処理や、色変換処理を行うことができる。ＲＡＭ制御回路１４は、Ａ／Ｄ変換器１２、画像処理回路１３、ＲＡＭ３２および画像ファイル生成回路３３を制御する。ＲＡＭ３２は、撮影した画像データを一時的に格納するメモリであり、所定枚数の画像データを格納するのに十分な記憶量を備えている。タイミング発生回路１５は、ＣＰＵ３０やＲＡＭ制御回路１４から、撮像素子１１やＡ／Ｄ変換器１２へ、制御信号を供給するタイミング発生を制御する。
【００３６】
また、ＣＰＵ３０およびＲＡＭ制御回路１４は、ＲＡＭ３２、画像ファイル生成回路３３等を制御して、記憶部３６に画像データを記憶させる。画像ファイル生成回路３３は、ＲＡＭ３２に格納されたＲＧＢの画像データを、輝度信号Ｙおよび色差信号ＣからなるＹＣデータに変換したり、ＪＰＥＧ形式に圧縮した画像ファイルを生成したりすることができる。記憶部３６は、インターフェース（Ｉ／Ｆ）３４を介して、カメラ本体部６０に設けられたスロット３５に、着脱自在に取り付けられている。
【００３７】
ＣＰＵ３０およびＲＡＭ制御回路１４は、画像表示メモリ３１、Ｄ／Ａ変換器１６等を制御して、撮影装置背面に設置されているＴＦＴ型カラーＬＣＤなどから成る画像表示部１７に、画像を表示する。画像表示メモリ３１は、表示用の画像データを格納するメモリである。
【００３８】
図３は、図２に示すカメラ本体部６０において、撮影された画像データを記憶する手順を説明したフローチャートである。まずステップＳ０１にて、カメラ本体部６０を使用するユーザは、カメラ本体部６０の電源２５を投入する。ステップＳ０２およびステップＳ０３において、撮影者は、図１に示すレリーズボタン５４を押して、撮影を行う。このとき図２に示すカメラ本体部６０では、シャッタスイッチ１８からＣＰＵ３０に信号が送信される。
【００３９】
すなわち、ステップＳ０２では、レリーズボタン５４のストロークの第１段が押され、シャッタスイッチ１８は、ＣＰＵ３０に半押し信号ＳＷ１を送信する。また、ステップＳ０３では、レリーズボタン５４のストロークの第２段が撮影者によって押圧され、シャッタスイッチ１８は、ＣＰＵ３０に全押し信号ＳＷ２を出力する。なお、図３のフローチャートには現れないが、ＣＰＵ３０は、半押し信号ＳＷ１が入力されると、ＡＦユニット４９等を制御して、ＡＦやＡＥ等の撮影準備動作を行う。また、全押し信号ＳＷ２が入力されると、ＣＰＵ３０は、撮像素子１１等を含む撮像部や、シャッタユニット４８等を制御し、撮影動作を行い、画像を取得する。
【００４０】
ステップＳ０４では、交換式撮影レンズ４１およびレンズアクセサリ４６の情報を検出する。すなわち、ステップＳ０４において、ＣＰＵ３０は、レンズ情報検知回路２２およびアクセサリ情報検知回路２３を制御し、交換式撮影レンズ４１およびレンズアクセサリ４６からの情報の取得を試みる。ＣＰＵ３０は、レンズ情報やアクセサリ情報が受信できなければ、ステップＳ０６に示す処理に進む。反対に、レンズ情報やアクセサリ情報が取得できれば、ステップＳ０５に示す処理へ進む。
【００４１】
ステップＳ０４でレンズ情報やアクセサリ情報が取得できない場合、ＣＰＵ３０は、フォルダ生成回路１９を制御し、記憶部３６にフォルダを生成する（ステップＳ０６）。たとえば、カメラ本体部６０に取り付けられた交換式撮影レンズ４１が、非ＣＰＵ搭載レンズである場合や、マウントアダプターを装着している場合等において、ＣＰＵ３０は、ステップＳ０６に示す処理を行う。
【００４２】
ステップＳ０４でレンズ情報やアクセサリ情報が取得できた場合は、得られた現在のレンズ情報およびアクセサリ情報を、記憶部３６に保存されている画像を撮影した際に得た過去のレンズ情報およびアクセサリ情報と、照合する（ステップＳ０５）。この際、過去のレンズ情報およびアクセサリ情報は、カメラ本体部６０に内蔵されている不揮発性メモリ２４に格納されていてもよい。
【００４３】
ステップＳ０５において、記憶部３６に、現在のレンズ情報およびアクセサリ情報に対応するフォルダがない場合は、ステップＳ０６に進む。ステップＳ０６では、ＣＰＵ３０は、フォルダ生成回路１９および記憶部３６を制御し、記憶部３６に、現在のレンズ情報およびアクセサリ情報に対応する名称のフォルダを生成する。
【００４４】
ステップＳ０５において、レンズ情報およびアクセサリ情報を照合する際に、レンズ情報が同じであってもアクセサリの有無や種類の変化があった場合は、Ｓ０６に進み、フォルダを生成することが好ましい。交換式撮影レンズ４１が同じであっても、レンズアクセサリ４６が異なれば、異なる描写手法であると認められるからである。
【００４５】
ステップＳ０５において、記憶部３６に、現在のレンズ情報およびアクセサリ情報に対応するフォルダが存在する場合は、ステップＳ０７に進む。ステップＳ０７では、現在のレンズ情報およびアクセサリ情報に対応するフォルダを抽出する。
【００４６】
ステップＳ０８において、ＣＰＵ３０およびＲＡＭ制御回路１４は、ＲＡＭ３２、画像ファイル生成回路３３および記憶部３６等を制御し、取得された画像データを記憶部３６に記憶させる。このとき、ＣＰＵ３０およびＲＡＭ制御回路１４は、画像データを取得したときに得られたレンズ情報およびアクセサリ情報に対応する名称のフォルダに、画像データを保存する。
【００４７】
ステップＳ０９では、ＣＰＵ３０は、このまま連続して撮影を続行するか、あるいは撮影を終了するかを判断する。ステップＳ０９において、例えばシャッタスイッチ１８からの信号が入力されたような場合、ＣＰＵ３０は、撮影を続行すると判断して、ステップＳ０２にループする。
【００４８】
ＣＰＵ３０は、ステップＳ０９で撮影を続行しないと判断した場合は、ステップＳ１０の処理を行う。ステップＳ１０において、ＣＰＵ３０は、ステップＳ０４またはステップＳ０５で得られたレンズ情報およびアクセサリ情報を、カメラ本体部６０に内蔵される不揮発性メモリ２４や、記憶部３６等に記録させる（ステップＳ１０）。さらに、ステップＳ１１では、一連の処理を終了する。
【００４９】
このように、本実施形態に係るカメラ本体部６０では、ＣＰＵ３０が、検出部で検出されたレンズ情報およびアクセサリ情報に対応させて画像を記憶するように、記憶部３６を制御する。この結果、記憶部３６には、レンズ情報およびアクセサリ情報毎に分類された状態で、画像データが保存されるため、撮影者は、所望の描写技法を用いて撮影された画像を、容易に探し出すことができる。
【００５０】
特に、カメラ本体部６０は、レンズ情報だけでなく、交換式撮影レンズ４１等に取付けられるレンズアクセサリ４６のアクセサリ情報を用いて、画像データの分類を行うことができるため、様々な描写技法を用いて撮影を行う撮影者の要望に応えることができる。また、同様の交換式撮影レンズ４１を用いて撮影しているが、レンズアクセサリ４６が異なるため、描写技法が異なる画像データを適切に区別し、描画技法が異なる画像同士を同一の分類とする問題を解決できる。
【００５１】
さらに、図３のフローチャートに示すように、ＣＰＵ３０は、レンズ情報およびアクセサリ情報ごとに、記憶部３６の内部に、レンズ情報およびアクセサリ情報に対応する名称のフォルダを作成し、この名称のフォルダ毎に分類して画像データを保存する。これにより、撮影者は、フォルダの名称を見て、格納された画像データの描画条件を容易に認識することができる。また、画像がフォルダ毎に記憶されているために、データのコピーや消去等を、容易に行うことができる。
【００５２】
図４は、図２に示すカメラ本体部６０で行われる画像データの記録手順の第２の例を表すフローチャートである。図４に示す第２の例では、撮影者がシャッタボタンの第１段のストロークを押した時点（即ち半押し信号ＳＷ１がＣＰＵ３０に入力される時点）で、カメラに装着している交換式撮影レンズ４１に対応したフォルダを、記憶部３６に生成する。すなわち、図３に示す第１の例と、図４に示す第２の例とを比較すると、ＣＰＵ３０は、第１の例では全押し信号ＳＷ２が入力されたときにフォルダを生成し、第２の例では半押し信号ＳＷ１が入力されたときにフォルダを生成する点で相違する。その他の処理は同様である。
【００５３】
まずステップＳ１０１にて、カメラ本体部６０を使用するユーザは、カメラ本体部６０の電源２５を投入する。ステップＳ１０２では、レリーズボタン５４のストロークの第１段が押され、シャッタスイッチ１８は、ＣＰＵ３０に半押し信号ＳＷ１を送信する。ここで、図４に示す第２の例では、ＳＷ１が入力されると、ＣＰＵ３０は、交換式撮影レンズ４１およびレンズアクセサリ４６の情報を検出する（ステップＳ１０３）。
【００５４】
すなわち、ステップＳ１０３では、図３に示すステップ０４と同様に、ＣＰＵ３０は、レンズ情報検知回路２２およびアクセサリ情報検知回路２３を制御し、交換式撮影レンズ４１およびレンズアクセサリ４６からの情報の取得を試みる。ＣＰＵ３０は、レンズ情報やアクセサリ情報が受信できなければ、ステップＳ１０５に示す処理に進む。反対に、レンズ情報やアクセサリ情報が取得できれば、ステップＳ１０４に示す処理へ進む。なお、ＣＰＵ３０は、シャッタスイッチ１８から半押し信号ＳＷ１が入力されてから、全押し信号ＳＷ２が入力されるまでの間に、図４に示す制御と平行して、ＡＦやＡＥ等の撮影準備動作を制御する。
【００５５】
ステップＳ１０６においてフォルダを生成する処理は、図３におけるステップＳ０６において行われる処理と同様である。また、ステップＳ１０４において、ＣＰＵ３０は、レンズ情報およびアクセサリ情報の照合を行うが、当該処理は、図３におけるステップＳ０５において行われる処理と同様である。さらに、ステップＳ１０６においてフォルダを抽出する処理も、図３におけるステップＳ０７における処理と同様である。
【００５６】
ステップＳ１０８においては、レリーズボタン５４のストロークの第２段が押され、シャッタスイッチ１８は、ＣＰＵ３０に全押し信号ＳＷ２を送信する。シャッタスイッチ１８から全押し信号ＳＷ２が入力されると、ＣＰＵ３０およびＲＡＭ制御回路１４は、撮影動作を制御して画像データを取得し、取得された画像データを、ステップＳ１０５で生成されたフォルダまたはステップＳ１０６で抽出されたフォルダに記憶させる（ステップＳ１０８）。
【００５７】
ステップＳ１０９において撮影続行を判断する処理や、ステップＳ１１０においてレンズ情報およびアクセサリ情報を記録する処理や、ステップＳ１１１で行われる処理は、図３のステップＳ０９〜Ｓ１１に示す処理と同様である。なお、ＣＰＵ３０に半押し信号ＳＷ１が入力された後に、全押し信号ＳＷ２が入力されなかった場合は、ステップＳ１０５またはステップＳ１０６における処理が終了した後に、ステップＳ１０８およびステップＳ１０９をスキップして、ステップＳ１１０およびステップＳ１１１の処理を行うことができる。
【００５８】
図４に示す第２の例によれば、レリーズボタン５４が半押しされた時点で、ＣＰＵ３０は、記憶部３６に、レンズ情報およびアクセサリ情報に対応する名称のフォルダを生成するか（ステップＳ１０５）、または、これらの情報に対応する名称のフォルダを抽出する（ステップＳ１０６）。したがって、撮影者は、レリーズボタン５４を半押しすることによって、レリーズボタン５４を全押しして画像データを取得しなくても、記憶部３６に、画像データを分類するためのフォルダを生成することができる。
【００５９】
また、図４に示す第２の例によれば、ＣＰＵ３０は、撮影動作を開始する前に、あらかじめ記憶部３６にフォルダを生成するため、撮影動作を開始してから、画像データを記憶部３６に保存するまでの処理を、より短時間に終了させることができる。また、撮影動作を実行している間に、ＣＰＵ３０に要求される演算負荷を軽減することができる。
【００６０】
図５は、図２に示すカメラ本体部６０で行われる画像データの記録手順の第３の例を表すフローチャートである。第３の例では、電源投入時など、カメラと交換式撮影レンズ４１との通信が確認された時点で、カメラに装着している交換式撮影レンズ４１に対応したフォルダを生成する。すなわち、図３に示す第１の例と、図５に示す第３の例とを比較すると、ＣＰＵ３０は、第１の例では全押し信号ＳＷ２が入力されたときにフォルダを生成し、第３の例では電源２５が投入されたときにフォルダを生成する点で相違する。その他の処理は同様である。
【００６１】
ステップＳ２０１において、カメラ本体部６０の電源２５が投入されると、ＣＰＵ３０は、レンズ着脱検知回路２０や、アクセサリ着脱検知回路２１によって、交換式撮影レンズ４１や、レンズアクセサリ４６が正常に装着されているか否かを検出する。その後、ＣＰＵ３０は、図２に示すステップＳ０２と同様に、交換式撮影レンズ４１およびレンズアクセサリ４６の情報を検出する（ステップＳ２０２）。
【００６２】
ステップＳ２０２の後に行われるステップＳ２０３〜ステップＳ２０５に係る処理は、図３に示す第１の処理におけるステップ０５〜ステップ０７で行われる処理と同様である。
【００６３】
ステップＳ２０６およびステップＳ２０７において、撮影者は、図１に示すレリーズボタン５４を押して、撮影を行う。このとき図２に示すカメラ本体部６０では、シャッタスイッチ１８からＣＰＵ３０に信号が送信される。すなわち、ステップＳ２０６では、レリーズボタン５４のストロークの第１段が押され、シャッタスイッチ１８は、ＣＰＵ３０に半押し信号ＳＷ１を送信する。また、ステップＳ２０７では、レリーズボタン５４のストロークの第２段が撮影者によって押圧され、シャッタスイッチ１８は、ＣＰＵ３０に全押し信号ＳＷ２を出力する。
【００６４】
シャッタスイッチ１８から全押し信号ＳＷ２が入力されると、ＣＰＵ３０およびＲＡＭ制御回路１４は、撮影動作を制御して画像データを取得し、取得された画像データを、ステップＳ２０４で生成されたフォルダまたはステップＳ２０５で抽出されたフォルダに記憶させる（ステップＳ２０８）。ステップＳ２０９では、ＣＰＵ３０は、このまま連続して撮影を続行するか、あるいは撮影を終了するかを判断する。ステップＳ２０９において、ＣＰＵ３０は、撮影を続行すると判断した場合はステップＳ２０６にループし、撮影を続行しないと判断した場合は、ステップＳ２１０の処理へ進む。
【００６５】
ステップＳ２１０において、ＣＰＵ３０は、ステップＳ２０２およびステップＳ２０３で得られたレンズ情報およびアクセサリ情報を、カメラ本体部６０に内蔵される不揮発性メモリ２４や、記憶部３６等に記録させる（ステップＳ２１０）。さらに、ステップＳ２１１では、一連の処理を終了する。
【００６６】
図５に示す第３の例によれば、カメラ本体部６０の電源２５が投入された時点で、ＣＰＵ３０は、記憶部３６に、レンズ情報およびアクセサリ情報に対応する名称のフォルダを生成するか（ステップＳ２０４）、または、これらの情報に対応する名称のフォルダを抽出する（ステップＳ２０５）。ＣＰＵ３０は、撮影準備動作を開始する前に、あらかじめ記憶部３６にフォルダを生成するため、撮影準備動作および撮影動作を実行している間に、ＣＰＵ３０に要求される演算負荷を軽減することができる。また、第３の例によれば、図２に示す第１の例において説明した効果と、同様の効果を得ることができる。
【００６７】
図６は、図２に示すカメラ本体部６０で行われる画像データの記録手順の第４の例を表すフローチャートである。第４の例では、カメラ本体部６０に装着した交換式撮影レンズ４１が、カメラ本体部６０との通信ができない交換式撮影レンズ（非ＣＰＵ搭載レンズやマウントアダプターを介しているとき）であるか否かの判別を行う。さらに、カメラ本体部６０に装着したレンズが、カメラ本体部６０と通信できない交換式撮影レンズ４１である場合は、通信ができない交換式撮影レンズ４１一般に対応したフォルダを生成する。すなわち、図６に示す第４の例では、図３に示す第１の例に対して、認識不可フォルダを生成または抽出する処理が追加されている。
【００６８】
図６に示すステップＳ３０１〜ステップＳ３０３の処理は、図３に示すステップＳ０１〜ステップＳ０３の処理と同様である。ステップＳ３０４では、交換式撮影レンズ４１およびレンズアクセサリ４６の情報を検出する。すなわち、ステップＳ３０４において、ＣＰＵ３０は、レンズ情報検知回路２２およびアクセサリ情報検知回路２３を制御し、交換式撮影レンズ４１およびレンズアクセサリ４６からの情報の取得を試みる。ＣＰＵ３０は、レンズ情報やアクセサリ情報が受信できなければ、ステップＳ３０８に示す処理に進む。反対に、レンズ情報やアクセサリ情報が取得できれば、ステップＳ３０５に示す処理へ進む。
【００６９】
ステップＳ３０８において、ＣＰＵ３０は、レンズ情報やアクセサリ情報を取得できなかった際に取得された画像データを保存するための認識不可フォルダが、記憶部３６に存在するか否かを検出する。ＣＰＵ３０は、認識不可フォルダが記憶部３６に存在しないと判断した場合は、フォルダ生成回路１９を制御して、記憶部３６に認識不可フォルダを生成する。また、認識不可フォルダが記憶部３６に存在すると判断した場合は、記憶部３６から認識不可フォルダを抽出する。
【００７０】
ステップＳ３０５〜ステップＳ３０７の処理は、図３に示すステップＳ０５〜Ｓ０７に示す処理と同様であるため、説明を省略する。ステップＳ３１１では、ＣＰＵ３０およびＲＡＭ制御回路１４は、ＲＡＭ３２、画像ファイル生成回路３３および記憶部３６等を制御し、撮像部で取得された画像データを、記憶部３６に記憶させる。
【００７１】
このとき、ＣＰＵ３０およびＲＡＭ制御回路１４は、ステップＳ３０４においてレンズ情報およびアクセサリ情報を取得している場合は、画像データを取得したときに得られたレンズ情報およびアクセサリ情報に対応する名称のフォルダに、画像データを保存する。それに対して、ステップＳ３０４においてレンズ情報およびアクセサリ情報を取得できなかった場合は、ステップＳ３０９、ステップＳ３１０において生成もしくは抽出された認識不可フォルダに、画像データを保存する。
【００７２】
ステップＳ３１２〜ステップＳ３１４の処理は、図３に示すステップＳ０９〜Ｓ１１の処理と同様であるため、説明を省略する。
【００７３】
図６に示す第６の例では、カメラ本体部６０との通信ができない交換式撮影レンズ４１等を取り付けて撮影された画像は、認識不可フォルダにまとめて保存されるため、画像データを保存するフォルダが増加しすぎるのを防ぐことができる。また、撮影者は、このような交換式撮影レンズ４１を使用して撮影された撮影データを、記憶部３６に生成された認識不可フォルダの中から、容易に探し出すことができる。
【００７４】
図７は、図２に示す記憶部３６（例えばＣＦカード等）の記録構造を表した概念図である。この構造は、カメラの内蔵メモリ（ＲＡＭ）などで展開されても良い。図７に示す例では、記憶部３６の中には、３つのフォルダが生成されている。これらのフォルダは、図２に示すカメラ本体部６０におけるＣＰＵ３０およびフォルダ生成回路１９によって生成されたものである。
【００７５】
記憶部３６に存在する３つのフォルダには、名称が付されており、それぞれ「５０ｍｍ／ｆ１．４」、「ＮＣ  ８５ｍｍ／ｆ１．４」および「レンズ情報認識不可フォルダ」と、名称が付されている。これらの名称は、図２に示すカメラ本体部６０におけるＣＰＵ３０およびフォルダ生成回路１９が、記憶部３６にフォルダを生成する際に、レンズ情報およびアクセサリ情報に基づいて、各フォルダに付したものである。各フォルダの名称は、たとえば、検出された交換式撮影レンズ４１またはレンズアクセサリ４６の型番、焦点距離、開放Ｆ値、通称などを組み合わせて作成することができるが、撮影時において使用された交換式撮影レンズ４１またはレンズアクセサリ４６が特定できる名称であれば、特に限定されない。
【００７６】
ここで、図６に示す第４の例と、図７とを対応させると、名称が「５０ｍｍ／ｆ１．４」または「ＮＣ  ８５ｍｍ／ｆ１．４」であるフォルダは、ステップＳ３０６で生成されたフォルダである。また、名称が「レンズ情報認識不可フォルダ」であるフォルダは、ステップＳ３１０で生成されたフォルダである。
【００７７】
記憶部３６に生成されている各フォルダの内部には、撮影時に使用された交換式撮影レンズ４１およびレンズアクセサリ４６に対応するように、画像データが保存されている。例えば、名称が「ＮＣ  ８５ｍｍ／ｆ１．４」であるフォルダには、レンズアクセサリ４６としてＮＣフィルタを使用し、交換式撮影レンズ４１として８５ｍｍ／ｆ１．４を使用して撮影された画像データが格納されている。
【００７８】
記憶部３６に記憶されている画像データは、ＣＰＵ３０等によって、記憶部３６に保存されたものである（例えば図６のステップＳ３１１）。画像データは、撮影時刻に対応させられて、フォルダ内に、画像ファイルとして順次記録されていく。画像データには、記憶部３６に保存される際に、ＣＰＵ３０によって、ファイル名（例えば「ＤＳＣ．０００１」）が付されている。図７に示す例では、画像データのファイル名は、撮影時刻の早いものから連番となっている。
【００７９】
ただし、ファイル名の付け方としてはこれに限定されない。例えば、ＣＰＵ３０は、画像データに付すファイル名を、検出された交換式撮影レンズ４１およびレンズアクセサリ４６に対応する名称としてもよい。例えば、ファイル名を「ＤＳＣ．ＮＣ＿８５ｍｍ０００１」等とすることができる。これにより、撮影後において、フォルダから画像データを取り出した場合にでも、画像データを取得した時に使用した外部装置を容易に認識できる。また、ファイル名検索等を用いて、所望の画像を比較的容易に探し出すことができる。
【００８０】
図２に示すカメラ本体部６０において、ＣＰＵ３０は、記憶部３６に記憶されている画像を、画像表示部１７等に表示させることができる。この場合において、ＣＰＵ３０は、例えば撮影者に記憶部３６に存在するフォルダを選択させて、選択されたフォルダに格納された画像データのみを、画像表示部１７に表示させることができる。したがって、撮影者は、画像データを撮影したときに用いた交換式撮影レンズ４１や、レンズアクセサリ４６を記憶していれば、容易に所望の画像データを探し出して表示させることができる。
【００８１】
交換式撮影レンズ４１や、レンズアクセサリ４６等の種類は、撮影される画像に大きな影響を与える。そうすると、撮影者が、特定の画像を探すときに、所望の画像の視覚的なイメージを思い浮かべることができれば、比較的容易に、所望の画像を取得する際に使用した交換式撮影レンズ４１やレンズアクセサリ４６を連想できる。したがって、本実施形態に係るカメラ本体部６０を用いる撮影者は、画像の視覚的イメージから、容易に所望の画像データを探し出して表示させることができる。
【００８２】
図８は、アクセサリ情報の識別方式を表した図である。図２に示すレンズアクセサリ４６の識別方法としては、特に限定されないが、図８に示すような識別番号の通信により、ＣＰＵ３０およびアクセサリ情報検知回路２３は、レンズアクセサリ４６を識別してもよい。すなわち、図８に示す例では、レンズアクセサリ４６は、識別番号のみを、情報として有している。それに対して、カメラ本体部６０には、例えば不揮発性メモリ２４等に、識別番号とアクセサリの種類を対応させるアクセサリテーブルの情報を有している。
【００８３】
ＣＰＵ３０およびアクセサリ情報検知回路２３は、レンズアクセサリ４６の識別番号のみを、レンズアクセサリ４６との通信により取得する。さらに、ＣＰＵ３０およびアクセサリ情報検知回路２３は、取得された識別番号を、不揮発性メモリ２４から読み出したアクセサリテーブルと照合することによって、詳細なアクセサリ情報を取得できる。
【００８４】
また、ＣＰＵ３０は、識別番号を照合することによって得られたアクセサリに関する詳細情報を、撮像素子１１からなる撮像部で取得された画像データに関連付けて、記憶部３６に記憶させてもよい。なお、ＣＰＵ３０は、アクセサリ情報だけでなく、レンズ情報やその他の撮影情報についても、撮像素子１１からなる撮像部で取得された画像データに関連付けて、記憶部３６に記憶させることができる。これにより、撮影者は、例えばアクセサリやレンズに関する詳細情報から、所望の画像データを容易に探し出すことができる。
【００８５】
図８に示す識別方式によれば、レンズアクセサリ４６は識別番号のデータのみを有していればよく、また、アクセサリを検知する際に、レンズアクセサリ４６とカメラ本体部６０は、非常に小さい容量のデータを通信すれば足りる。したがって、レンズアクセサリ４６を小型化することができ、また、容易にレンズアクセサリ４６の情報を得ることができる。
【００８６】
その他の実施形態
上述の実施形態においては、交換式撮影レンズ４１が取付可能なカメラ本体部６０を例に説明したが、本発明に係る撮影装置としては、これに限定されない。例えば、撮影装置はスチルカメラであっても、ビデオカメラであってもよく、携帯電話であってもよい。さらに、撮影レンズを着脱可能なカメラであってもよく、撮影レンズを着脱できないもの（例えば、コンパクト・デジタル・カメラ）であってもよい。
【００８７】
また、上述の実施形態では、カメラに取り付ける外部装置として、レンズアクセサリ４６および交換式撮影レンズ４１を例に挙げて説明したが、カメラ本体部６０のＣＰＵ３０等によって検出される外部装置としては、これに限定されない。たとえば、外付けストロボ、パワーパック、三脚、一脚などであってもよい。
【００８８】
さらに、上述の実施形態では、検出された外部装置に対応させて画像を記憶させたが、他の実施形態では、外部装置に加えて、撮影条件に対応させて画像を記憶させることも可能である。例えば、手振れ補正のオン・オフ、オートフォーカス・マニュアルフォーカス、ＩＳＯ感度、撮影距離、焦点距離、像倍率(焦点距離/撮影距離)、絞り値、シャッタ値、露出ブラケット補正値、ＷＢ（ホワイトバランス）設定などの情報を取得し、これらと外部装置との組み合わせによって、画像を分類して記憶させてもよい。
【００８９】
図１および図２に示す実施形態において、レンズアクセサリ４６は、交換式撮影レンズ４１を介して、接触方式を用いてカメラ本体部６０と通信を行っている。しかし、他の実施形態では、レンズアクセサリ４６とカメラ本体部６０との間で、無線を用いてダイレクトに通信を行わせ、レンズアクセサリ４６を検出させてもよい。これにより、カメラ本体部６０は、交換式撮影レンズ４１が非ＣＰＵ搭載レンズ等であっても、レンズアクセサリの情報を取得し、これに対応させて画像を記憶させることができる。
【００９０】
また、交換式撮影レンズ４１と、カメラ本体部６０との通信も、無線を用いて行っても良い。この場合、レンズアクセサリ４６、交換式撮影レンズ４１、カメラ本体部６０等には、無線でデータ通信をおこなうためのアンテナが備えられていても良い。無線でレンズ情報やアクセサリ情報を検出することによって、例えばマウントアダプターを介して交換式撮影レンズ４１がカメラ本体部６０に装着されている場合であっても、カメラ本体部６０はレンズ情報やアクセサリ情報を取得することができる。
【００９１】
上述の実施形態では、レンズ情報およびアクセサリ情報等の外部装置の情報を、画像データを保存する際に使用したが、図２に示すＣＰＵ３０は、記憶部３６に記憶された画像を、カメラ本体部６０に備えられる画像表示部１７に表示させる際に、レンズ情報およびアクセサリ情報等の外部装置の情報を用いても良い。例えば、ＣＰＵ３０は、画像表示部１７に記憶部３６に記憶された画像を表示する際に、レンズ情報検知回路２２およびアクセサリ情報検知回路２３を制御し、レンズアクセサリ４６および交換式撮影レンズ４１を検出する。
【００９２】
レンズアクセサリ４６や交換式撮影レンズ４１を検出したとき、ＣＰＵ３０は、記憶部３６に記憶された画像データのうち、直前に検出されたものと同じレンズアクセサリ４６や交換式撮影レンズ４１に対応して記憶された画像データを、優先して画像表示部１７に表示するように、画像表示メモリ３１や、ＲＡＭ制御回路１４を制御する。
【００９３】
撮影者は、同じ描画手法によって撮影された画像を参考にして撮影を行いたい場合があるので、検出された外部装置に対応する画像を優先して表示させることによって、カメラ本体部６０は、撮影者が画像を探す煩わしさを軽減することができる。
【００９４】
また、ＣＰＵ３０は、直前に取得した画像データと、同じ外部装置を用いて撮影された過去の画像データとを並べて、画像表示部１７に表示させてもよい。この際において、画像表示部１７を等分割して表示させてもよく、異なる大きさに分割し、直前に取得した画像データを大きく表示し、過去に撮影した画像データを小さく表示させてもよい。このような表示は、新たな画像データが撮像部によって取得されたタイミング等に行うことができる。直前に取得した画像データと、同じ外部装置を用いて撮影された過去の画像データとを並べて表示させることによって、撮影者は、描画技法が似ている画像同士を詳細に比較できるため、画像の善し悪しを素早く認識できる。
【符号の説明】
【００９５】
１１…  撮像素子
１７…  画像表示部
２２…  レンズ情報検知回路
２３…  アクセサリ情報検知回路
３０…  ＣＰＵ
３６…  記憶部
４１…  交換式撮影レンズ
４５…  ボディ側通信接点
４６…  レンズアクセサリ
５４…  レリーズボタン
【図１】
2010263312.tif 000003
【図２】
2010263312.tif 000004
【図３】
2010263312.tif 000005
【図４】
2010263312.tif 000006
【図５】
2010263312.tif 000007
【図６】
2010263312.tif 000008
【図７】
2010263312.tif 000009
【図８】
2010263312.tif 000010